(57)【要約】      （修正有）【課題】ソーラーパネルと建物とを一体感のある仕上がりにすることができて、建物の外観を良好なものにする。【解決手段】厚さ寸法が互いに異なる複数種類のソーラーパネル３，４と一般外壁面材パネル２のうちの、ソーラーパネル３，４を含む複数のパネル２，３，４…が、それらの屋外側の面を揃えて外壁面を構成していることを特徴とする建物１のソーラーウォール構造。【選択図】図１
2008308964.tif 000002
【特許請求の範囲】
【請求項１】
厚さ寸法が互いに異なる複数種類のソーラーパネルと一般外壁面材パネルのうちの、ソーラーパネルを含む複数のパネルが、それらの屋外側の面を揃えて外壁面を構成していることを特徴とする建物のソーラーウォール構造。
【請求項２】
前記複数のパネルに一般外壁面材パネルが含まれている請求項１に記載の建物のソーラーウォール構造。
【請求項３】
前記外壁面が、前記各パネルの背面側にパネルフレームを備えた複数の外壁パネルで構成され、各外壁パネルは、厚さ寸法が互いに同じパネルフレームを備え、前記複数のパネルの厚さ寸法の違いが、パネルフレームとパネルとの間に介設された間隔保持材によって吸収されている請求項１又は２に記載の建物のソーラーウォール構造。
【請求項４】
前記各パネルフレームが環状フレームからなると共に、各環状フレームの屋外側の面部に下地板が備えられ、該環状フレームと下地板とが、環状フレームで囲まれた内部に注入充填され発泡時の接着性で環状フレームと下地板とに接着した発泡ウレタンにより一体化されてベースパネルを構成している請求項３に記載の建物のソーラーウォール構造。
【請求項５】
厚さ寸法が互いに異なる複数種類のソーラーパネルと一般外壁面材パネルのうちの、ソーラーパネルを含む複数のパネルが備えられ、各パネルの背面側に厚さ寸法が互いに同じ単位パネルフレームが備えられ、これら複数の単位パネルフレーム同士は連結されてパネルフレームを構成し、前記複数のパネルの厚さ寸法の違いが、単位パネルフレームとパネルとの間に介設された間隔保持材によって吸収されて、屋外側の面を揃えられていることを特徴とする建物のソーラーウォール構造用外壁パネル。
【請求項６】
前記複数のパネルに一般外壁面材パネルが含まれている請求項５に記載のソーラーウォール構造用外壁パネル。
【請求項７】
開口部が備えられ、前記単位パネルフレームの少なくとも１つが該開口部に隣り合って備えられ、該開口部に、採光ソーラーパネルが備えられている請求項５又は６に記載の建物のソーラーウォール構造用外壁パネル。
【請求項８】
前記各単位パネルフレームが環状フレームからなると共に、各環状フレームの屋外側の面部に下地板が備えられ、該環状フレームと下地板とが、環状フレームで囲まれた内部に注入充填され発泡時の接着性で環状フレームと下地板とに接着した発泡ウレタンにより一体化されて単位ベースパネルを構成している請求項５乃至７のいずれか一に記載の建物のソーラーウォール構造用外壁パネル。
【発明の詳細な説明】
【技術分野】
【０００１】
本発明は、建物のソーラーウォール構造及び外壁パネルに関する。
【背景技術】
【０００２】
太陽熱で空気や水を温め、その熱で屋内の暖房や給湯を行うソーラーシステムにおいて、太陽熱を集熱するソーラーパネルは、建物の外壁に取り付けられたり、屋根に取り付けられたりするが、外壁にソーラーパネルが取り付けられるソーラーウォール構造の場合は、ソーラーパネルが外壁面から出っ張ってしまい、ソーラーパネルと建物とを一体感のある仕上がりにするのが難しく、建物の外観を悪くしてしまうことがある。
【特許文献１】特開２００５−０２４１３９号公報
【発明の開示】
【発明が解決しようとする課題】
【０００３】
本発明は、上記のような問題点に鑑み、ソーラーパネルと建物とを一体感のある仕上がりにすることができて、建物の外観を良好なものにすることができる建物のソーラーウォール構造及び外壁パネルを提供することを課題とする。
【課題を解決するための手段】
【０００４】
上記の課題は、厚さ寸法が互いに異なる複数種類のソーラーパネルと一般外壁面材パネルのうちの、ソーラーパネルを含む複数のパネルが、それらの屋外側の面を揃えて外壁面を構成していることを特徴とする建物のソーラーウォール構造によって解決される（第１発明）。
【０００５】
この構造では、外壁面を構成する前記パネルの屋外側の面が揃えられているので、ソーラーパネルと建物とを一体感のある仕上がりにすることができて、建物の外観を良好なものにすることができる。
【０００６】
第１発明において、前記複数のパネルに一般外壁面材パネルが含まれているとよい（第２発明）。この場合は、一般外壁面材パネルの屋外側の面とソーラーパネルの屋外側の面とが揃えられて、ソーラーパネルと一般外壁面材パネルとを一体感のある仕上がりにすることができて、建物の外観を良好なものにすることができる。
【０００７】
第１，第２発明において、前記外壁面が、前記各パネルの背面側にパネルフレームを備えた複数の外壁パネルで構成され、各外壁パネルは、厚さ寸法が互いに同じパネルフレームを備え、前記複数のパネルの厚さ寸法の違いが、パネルフレームとパネルとの間に介設された間隔保持材によって吸収されているとよい（第３発明）。この場合は、前記複数のパネルの屋外側の面を揃えるのに、間隔保持材を用いるだけでよく、外壁パネル間でパネルフレームの共通化を図ることができて外壁パネルのコストを低く抑えることができ、しかも、建物におけるパネルフレームを含む構造部材同士の取り合い関係を複雑化してしまうこともない。
【０００８】
第３発明において、前記各パネルフレームが環状フレームからなると共に、各環状フレームの屋外側の面部に下地板が備えられ、該環状フレームと下地板とが、環状フレームで囲まれた内部に注入充填され発泡時の接着性で環状フレームと下地板とに接着した発泡ウレタンにより一体化されてベースパネルを構成しているとよい（第４発明）。
【０００９】
この場合は、ソーラーパネルを含む前記複数のパネルが発泡ウレタンの接着性によって外壁パネルに一体化されることがなく、パネルの種類が異なる複数種類の外壁パネルを小ロットづつコスト的に有利に量産することができると共に、パネルの交換やリユースにも容易に対応することができる。
【００１０】
また、上記の課題は、厚さ寸法が互いに異なる複数種類のソーラーパネルと一般外壁面材パネルのうちの、ソーラーパネルを含む複数のパネルが備えられ、各パネルの背面側に厚さ寸法が互いに同じ単位パネルフレームが備えられ、これら複数の単位パネルフレーム同士は連結されてパネルフレームを構成し、前記複数のパネルの厚さ寸法の違いが、単位パネルフレームとパネルとの間に介設された間隔保持材によって吸収されて、屋外側の面を揃えられていることを特徴とする建物のソーラーウォール構造用外壁パネルによって解決される（第５発明）。
【００１１】
この外壁パネルでは、それに備えられたソーラーパネルを含む複数のパネルの屋外側の面が揃えられていることにより、外壁パネルの屋外側の面を一体感のある仕上がりにすることができ、ひいては、ソーラーパネルと建物とを一体感のある仕上がりにすることができて、建物の外観を良好なものにすることができる。
【００１２】
しかも、それらのパネルの屋外側の面を揃えるのに、間隔保持材を用いるだけでよく、単位パネルフレーム間でパネルフレーム構成部品の共通化を図ることができて外壁パネルのコストを低く抑えることができ、加えて、建物におけるパネルフレームを含む構造部材同士の取り合い関係を複雑化してしまうこともない。
【００１３】
加えて、各パネルの背面部には、それ用の単位パネルフレームが備えられているので、各パネルをパネルフレームに対して安定良くしっかりと取り付けることができる。
【００１４】
第５発明において、前記複数のパネルに一般外壁面材パネルが含まれているとよい（第６発明）。この場合は、一般外壁面材パネルの屋外側の面とソーラーパネルの屋外側の面とが揃えられて、ソーラーパネルと一般外壁面材パネルとを一体感のある仕上がりにすることができて、外壁パネルの屋外側の面の外観、ひいては、建物の外観を良好なものにすることができる。
【００１５】
第５，第６発明において、開口部が備えられ、前記単位パネルフレームの少なくとも１つが該開口部に隣り合って備えられ、該開口部に、採光ソーラーパネルが備えられているとよい（第７発明）。この場合は、開口部に備えられた採光ソーラーパネルと、それに隣接する単位パネルフレームのパネルとを、屋外側の面が揃っているか否かにかかわらず、一体感のある仕上がりにすることができて、建物の外観を良好なものにすることができる。
【００１６】
第５〜第７発明において、前記各単位パネルフレームが環状フレームからなると共に、各環状フレームの屋外側の面部に下地板が備えられ、該環状フレームと下地板とが、環状フレームで囲まれた内部に注入充填され発泡時の接着性で環状フレームと下地板とに接着した発泡ウレタンにより一体化されて単位ベースパネルを構成しているとよい（第８発明）。
【００１７】
この場合は、ソーラーパネルを含む前記複数のパネルが発泡ウレタンの接着性で外壁パネルに一体化されることがなく、組み合わされるパネルの種類が異なる複数種類の外壁パネルを小ロットづつコスト的に有利に量産することができると共に、パネルの交換やリユースにも容易に対応することができる。
【発明の効果】
【００１８】
本発明は、以上のとおりのものであるから、ソーラーパネルと建物とを一体感のある仕上がりにすることができて、建物の外観を良好なものにすることができる。
【発明を実施するための最良の形態】
【００１９】
次に、本発明の実施最良形態を図面に基づいて説明する。
【００２０】
図１に示す実施形態においての建物のソーラーウォール構造では、該建物１の南側の壁面に、窯業系、コンクリート系などからなる一般外壁面材パネル２のほか、太陽熱で空気を温め、その熱で屋内の２階居室での床暖房などを行うための空気集熱型ソーラーパネル３と、太陽熱で水等の液体を暖め、その熱で給湯などを行う液集熱型ソーラーパネル４とが備えられている。
【００２１】
そして、図３（イ）に示すように、一般外壁面材パネル２と空気集熱型ソーラーパネル３と液集熱型ソーラーパネル４とは、その厚さ寸法が互いに異なっているけれども、例えば、次のような構造によって、それらの屋外側の面が互いに揃えられて、建物１の外壁面を構成している。
【００２２】
即ち、建物１の外壁面は、図２に示すような外壁パネル５…で構成されており、そのうちの図２（イ）（ホ）（ヘ）（ヌ）に示す外壁パネル５…は、図３（ロ）（ハ）に示すように、背面側に厚さ寸法が互いに同じパネルフレーム１２を備え、一般外壁面材パネル２と空気集熱型ソーラーパネル３の厚さ寸法の違いが、パネルフレーム１２とこれらパネル２，３との間に介設されてこれらを連結する取付け部材兼用の間隔保持材６…，７…によって吸収され、それによって、図５（イ）に示すように、それら外壁パネル５…の屋外側の面が揃えられている。
【００２３】
特に本実施形態では、図４（イ）（ロ）に示すように、パネルフレーム１２は、方形に組まれた環状フレームからなっており、図４（ハ）（ニ）に示すように、環状フレーム１２の屋外側の面部には下地板９が備えられると共に、環状フレーム１２の屋内側の面部には蓋板１０が備えられ、環状フレーム１２と下地板９と蓋板１０とが、図４（イ）（ロ）に示すように、環状フレーム１２で囲まれた内部に注入充填され発泡時の接着性で環状フレーム１２と下地板９と蓋板１０に接着した発泡ウレタン１１により一体化されてベースパネル１３を構成しており、図３（ロ）（ハ）に示すように、このベースパネル１３に対して、一般外壁面材パネル２や空気集熱型ソーラーパネル３が取付け部材兼用の間隔保持材６…，７…で取り付けられた構造となっている。
【００２４】
また、建物１の外壁面を構成する外壁パネル５…のうち、図２（ロ）（ハ）（ニ）に示す外壁パネル５…はそれぞれ、１つの外壁パネル５に一般外壁面材パネル２と液集熱型ソーラーパネル４とが備えられた構造となっていて、図７（ホ）に示すように、それぞれのパネル２，４に対応するように、その背面側に厚さ寸法が互いに同じ二つの単位パネルフレーム１４，１４が備えられ、これら単位パネルフレーム１４，１４同士がつなぎ材１６，１６で連結されてパネルフレームを構成している。そして、一般外壁面材パネル２と液集熱型ソーラーパネル４の厚さ寸法の違いが、単位パネルフレーム１４，１４とパネル２，４との間に介設された取付け部材兼用の間隔保持材６…，８…によって吸収されて、一般外壁面材パネル２と液集熱型ソーラーパネル４の屋外側の面が揃えられている。
【００２５】
特に本実施形態では、各単位パネルフレーム１４，１４が、図７（イ）（ロ）に示すように、環状フレームからなると共に、図７（ハ）に示すように、各環状フレーム１４の屋外側の面部には下地板９が備えられると共に、屋内側の面部には蓋板１０が備えられ、環状フレーム１４と下地板９と蓋板１０とが、環状フレーム１４で囲まれた内部に注入充填され発泡時の接着性で環状フレーム１４と下地板９と蓋板１０に接着した発泡ウレタン１１により一体化されて単位ベースパネル１５，１５を構成しており、図７（ニ）（ホ）に示すように、これらの単位ベースパネル１５，１５に対して、一般外壁面材パネル２と液集熱型ソーラーパネル４が取付け部材兼用の間隔保持材６…，８…で取り付けられ、単位ベースパネル１５，１５同士が連結された構造となっている。
【００２６】
また、本実施形態では、図２（ロ）（ニ）に示す外壁パネル５…は、図７（ロ）に示すように、単位パネルフレーム１４，１４が、それらの間に開口部１７を形成するように、つなぎ材１６，１６で連結されており、該開口部１７に採光ソーラーパネル１８，１９が、その屋外側の面を、上下の一般外壁面材パネル２と液集熱型ソーラーパネル４の屋外側の面と揃わせるように備えられている。
【００２７】
なお、図２（ロ）の外壁パネル５における採光ソーラーパネル１８は、例えば、ガラス板やアクリル板にシリカエアロゲル等の透明断熱材が設けられたもので、また、図２（ニ）における採光ソーラーパネル１９は、同透明断熱材が設けられた多数のガラスブロックで作成されたもので、これら採光ソーラーパネル１８，１９を通じて屋内に取り込まれた太陽熱が屋外に逃げるのを抑制ないしは阻止するようになされたものからなっている。
【００２８】
なお、図２（ト）（チ）（リ）の外壁パネル５…は、掃き出し開口部用の引き違い式建具２０が備えられた外壁パネルであり、図２（ハ）の外壁パネル５は、腰高開口部用の引き違い式建具２１が備えられた外壁パネルであり、図２（ル）は胴差部面材２２を示している。
【００２９】
上記の建物１のソーラーウォール構造では、図５（イ）、図６（ロ）（ハ）に示すように、一般外壁面材パネル２…、空気集熱型ソーラーパネル３、液集熱型ソーラーパネル４…の屋外側の面が互いに揃えられているので、ソーラーパネル３，４…と建物１とを一体感のある仕上がりにすることができて、建物の外観を良好なものにすることができる。
【００３０】
特に、本実施形態では、ソーラーパネル３，４との組み合わせにおいて一般外壁面材パネル２が備えられ、図５（イ）、図６（ロ）に示すように、それらの屋外側の面が揃えられているので、ソーラーパネル３，４と一般外壁面材パネル２とを一体感のある仕上がりにすることができて、建物の外観を良好なものにすることができる。
【００３１】
また、本実施形態では、採光ソーラーパネル１８，１９を含めて屋外側の面が揃えられているので、ソーラーパネル３，４…，１８，１９と建物１とを一体感のある仕上がりにすることができて、建物の外観を良好なものにすることができる。
【００３２】
また、本実施形態では、図２の（イ）（ヘ）（ホ）（ヌ）に示す外壁パネル５…において、パネルフレーム１２の厚さ寸法が互いに同じで、パネル２，３の厚さ寸法の違いを、パネルフレーム１２とパネル２，３との間に介設された取り付け部材兼用の間隔保持材６…，７…によって吸収して、屋外側の面を揃えるようにしているので、各パネル２，３の屋外側の面を揃えるのに、間隔保持材６…，７…を用いるだけでよく、外壁パネル５…間でパネルフレーム１２の共通化を図ることができて外壁パネル５…のコストを低く抑えることができ、しかも、パネルフレーム１２の厚さ寸法が互いに同じであることにより、建物におけるパネルフレーム１２…を含む構造部材同士の取り合い関係を複雑化してしまうこともない。
【００３３】
更に、環状パネルフレーム１２の屋外側の面部に下地板９が配置され、それらが発泡ウレタン１１により一体化されてベースパネル１３を構成しているので、一般外壁面材パネル２や空気集熱型ソーラーパネル３が発泡ウレタンの接着性で外壁パネル５に一体化されてしまうことがなく、図３に示すように、種類の異なるパネルを備えた複数種類の外壁パネルを小ロットづつコスト的に有利に量産することができると共に、パネルの交換やリユースにも容易に対応することができる。
【００３４】
また、図２の（ロ）（ハ）（ニ）に示す外壁パネル５…では、単位パネルフレーム１４…の厚さ寸法が互いに同じで、パネル２，４の厚さ寸法の違いを、単位パネルフレーム１４，１４とパネル２，４との間に介設された取り付け部材兼用の間隔保持材６…，８…によって吸収して、屋外側の面を揃えるようにしているので、各パネル２，４の屋外側の面を揃えるのに、間隔保持材６…，８…を用いるだけでよく、単位パネルフレーム１４，１４間でパネルフレーム構成部品の共通化を図ることができて外壁パネル５…のコストを低く抑えることができ、加えて、建物におけるパネルフレームを含む構造部材同士の取り合い関係を複雑化してしまうこともない。
【００３５】
更に、同外壁パネル５…では、各単位パネルフレーム１４，１４の屋外側の面部に下地板９，９が配置され、それらが発泡ウレタン１１，１１により一体化されて単位ベースパネル１５，１５を構成しているので、一般外壁面材パネル２と液集熱型ソーラーパネル４とが発泡ウレタン１１，１１の接着性で外壁パネル５に一体化されてしまうことがなく、種類の異なる複数のパネルを備えた複数種類の外壁パネルを小ロットづつコスト的に有利に量産することができると共に、パネルの交換やリユースにも容易に対応することができる。
【００３６】
以上に、本発明の実施形態を示したが、本発明はこれに限られるものではなく、発明思想を逸脱しない範囲で各種の変更が可能である。例えば、本発明では、図３（ニ）に示すような、液集熱型ソーラーパネル４とパネルフレーム１２ないしはベースパネル１３との間に間隔保持材８…を介設した外壁パネル５が用いられてもよく、それとの関係で、図５（ロ）（ハ）に示すような組み合わせ配置構成の外壁を採用することもできるし、また、図６（イ）に示すような組み合わせ配置構成の外壁を採用することもできる。もちろん、ソーラーパネルの種類に制限はなく、上に述べた以外のソーラーパネルを備えたソーラーウォール構造に構成することも可能である。
【００３７】
また、上記の実施形態では、パネルフレーム１２ないしは単位パネルフレーム１４を発泡ウレタン１１で下地板９と一体化したベースパネル１３ないしは単位ベースパネル１５に対して、一般外壁面材パネル２やソーラーパネル３，４を取り付けた場合を示したが、第４、第８の発明を除く発明では、一般外壁面材パネル２やソーラーパネル３，４を、発泡ウレタン１１の省略されたパネルフレーム１２ないしは単位パネルフレーム１４に対して取り付けた構造に構成されていてもよい。
【００３８】
また、上記の実施形態では、ソーラーウォール構造として一般外壁面材パネル２を含ませた場合を示したが、第１、第５発明等では、一般外壁面材パネルのないソーラーパネルのみからなるソーラーウォール構造に構成されていてもよい。
【図面の簡単な説明】
【００３９】
【図１】実施形態のソーラーウォール構造を示す建物の正面図である。
【図２】図（イ）〜図（ル）はそれぞれ、ソーラーウォール構造を構成する外壁パネルと胴差面材を示す正面図である。
【図３】図（イ）は、一般外壁面材パネル及びソーラーパネルと、ベースパネルとを分離状態にして示す断面側面図、図（ロ）〜図（ニ）はそれぞれ、それらのパネルを備えた外壁パネルの断面側面図である。
【図４】図（イ）は下地板を省略したベースパネルの正面図、図（ロ）は図（イ）のＩ−Ｉ線断面図、図（ハ）はウレタン注入前のベースパネル構成部品の分解断面側面図、図（ニ）はウレタン注入前のベースパネル構成部品の断面側面図である。
【図５】図（イ）〜図（ハ）はそれぞれ、ソーラーウォール構造の断面側面図である。
【図６】図（イ）〜図（ハ）はそれぞれ、ソーラーウォール構造の断面平面図である。
【図７】図（イ）は下地板省略の単位ベースパネルで構成されたパネルフレームの分解正面図、図（ロ）は同正面図、図（ハ）は同断面側面図、図（ニ）は同単位ベースパネルを用いた外壁パネルの分解断面側面図、図（ホ）は同断面側面図である。
【符号の説明】
【００４０】
１…建物
２…一般外壁面材パネル
３…空気集熱型ソーラーパネル
４…液集熱型ソーラーパネル
５…外壁パネル
６，７，８…間隔保持材
９…下地板
１１…発泡ウレタン
１２…パネルフレーム
１３…ベースパネル
１４…単位パネルフレーム
１５…単位ベースパネル
１６…つなぎ材
１７…開口部
１８，１９…採光ソーラーパネル
【図１】
2008308964.tif 000003
【図２】
2008308964.tif 000004
【図３】
2008308964.tif 000005
【図４】
2008308964.tif 000006
【図５】
2008308964.tif 000007
【図６】
2008308964.tif 000008
【図７】
2008308964.tif 000009